(57)【要約】【課題】使い勝手を向上させる鎌を提供する。【解決手段】鎌１は、固定具として、柄２の先端から固定平板３１，３８が突出する柄側金具４，５と、ボルト１１を中心に固定平板３１，３８に対して回動可能に取り付けられる基端側板４３、及び刃２３が固定される先端側板４４が互いに９０度捻れるように連続する刃側金具６と、固定平板３１，３８に対する基端側板４３の回動をロックするロック機構と、を備え、ロック機構として、固定平板３１，３８のボルト孔３５，４２と、基端側板４３が有し、固定平板３１，３８に対する基端側板４３の回動に伴って、ボルト孔３５，４２に順次対応するボルト孔４６と、ボルト孔３５，４２ボルト孔４６を係止することでロックをするロックピン６０と、ロックピン６０をロック位置及び解除位置の間でガイドするガイドプレート６２と、ロックピン６０をロック位置に付勢するコイルスプリング６７と、を備える。【選択図】図１
0003208379.tif 000002
【実用新案登録請求の範囲】
【請求項１】
直線状の柄と、
前記柄の先端に固定具で固定されており、刃面及び前記柄のなす角度が１８０度及び鈍角で可変であると共に、刃元と刃先とを結ぶ仮想線及び前記柄のなす角度が可変である刃と、を備えている鎌であって、
前記固定具として、
前記柄の先端に固定されており、前記柄の先端から前記柄の長手方向に固定平板が突出している柄側固定具と、
前記固定平板に重ねられており、前記固定平板に直交している回転軸を中心として前記固定平板に対して回動可能に取り付けられている基端側板、及び前記刃が重ねられている状態で固定されている先端側板が互いに９０度捻れるように前記柄の長手方向に連続している刃側固定具と、
前記固定平板に対する前記基端側板の回動のロックをするロック機構と、を備え、
前記ロック機構として、
前記固定平板及び前記基端側板の一方が有している第１係止部と、
前記固定平板及び前記基端側板の他方が有しており、前記固定平板に対する前記基端側板の回動に伴って、前記第１係止部に順次対応する複数の第２係止部と、
前記第１係止部、及び前記第１係止部に対応している前記第２係止部を係止することで前記ロックをするロックピンと、
前記ロックピンを、前記ロックをするロック位置、及び前記ロック位置から退くことで前記ロックを解除する解除位置の間でガイドするガイド手段と、
前記ロックピンを、前記ロック位置に付勢する付勢手段と、を備え、
前記刃は、前記先端側板に固定される姿勢が可変であることを特徴とする
鎌。
【考案の詳細な説明】
【技術分野】
【０００１】
本考案は、草刈り等に用いる鎌に関する。
【背景技術】
【０００２】
特許文献１には、刃と柄の角度を変更可能に構成した鎌が記載されている。
【先行技術文献】
【特許文献】
【０００３】
【特許文献１】実用新案登録第３２００５９７号公報
【考案の概要】
【考案が解決しようとする課題】
【０００４】
しかしながら、上記構成の鎌は、刃と柄の角度を変更する際にボルトが外されるものであり、外したボルトを紛失しないよう注意を払わなければならない。このため、使い勝手が悪い。
【０００５】
本考案は、上記課題を鑑みてなされたものであり、使い勝手を向上させた鎌を提供することを目的とする。
【課題を解決するための手段】
【０００６】
本考案は、直線状の柄と、前記柄の先端に固定されており、刃面及び前記柄のなす角度が１８０度及び鈍角であると共に、刃元と刃先とを結ぶ仮想線及び前記柄のなす角度が可変である刃と、を備えている鎌であって、前記固定具として、前記柄の先端に固定されており、前記柄の先端から前記柄の長手方向に固定平板が突出している柄側固定具と、前記固定平板に重ねられており、前記固定平板に直交している回転軸を中心として前記固定平板に対して回動可能に取り付けられている基端側板、及び前記刃が重ねられている状態で固定されている先端側板が互いに９０度捻れるように前記柄の長手方向に連続している刃側固定具と、前記固定平板に対する前記基端側板の回動のロックをするロック機構と、を備え、前記ロック機構として、前記固定平板及び前記基端側板の一方が有している第１係止部と、前記固定平板及び前記基端側板の他方が有しており、前記固定平板に対する前記基端側板の回動に伴って、前記第１係止部に順次対応する複数の第２係止部と、前記第１係止部、及び前記第１係止部に対応している前記第２係止部を係止することで前記ロックをするロックピンと、前記ロックピンを、前記ロックをするロック位置、及び前記ロック位置から退くことで前記ロックを解除する解除位置の間でガイドするガイド手段と、前記ロックピンを、前記ロック位置に付勢する付勢手段と、を備え、前記刃は、前記先端側板に固定される姿勢が可変であることを特徴とする鎌である。
【０００７】
本考案によれば、一般的な鎌のように刃面と柄のなす角度を１８０度にする他、刃と柄のなす角度を変更してから使用することができる。これにより、地面の傾斜角度に合わせ草刈り等ができる。
【０００８】
柄を長いもの（例えば、１３５０ｍｍ又は１５００ｍｍの長さの柄）で構成した場合には、竹ぼうきで庭を掃くように人が立ったまま楽に草刈りができ、疲れない。そして、嫌いな虫がでてきても避けられる。また、刈りたい草に近付けないような狭い所でも草刈りができる。さらに、草がぼうぼうに生えていても迷わず草刈りに取り掛かれる。
【０００９】
刃を鋸刃（ノコギリ刃）で構成した場合には、鋸刃のギザギザの付け根に草が引っ掛かるので、細かい草が多量に生えていても、草刈りはわずかな時間ですむ。そして、石ころや硬い物が鋸刃のギザギザの付け根に届かなければ草刈りに差し支えない。鋸刃は鋭利な刃ではないが、鎌の柄を強く引っ張ることで草は切れる。
【００１０】
大きい草は生ゴミになってしまうが、このような鎌で草が伸びないうちに刈ることで、草を生ゴミにせずに土にすることができる。結果、害虫の発生を無くすことができる。
【００１１】
また、簡単な構造で構成することができる。刃の角度を２ヶ所で変えるものであるので、角度の調整を容易且つ確実に行うことができる。
【００１２】
さらに、刃と柄のなす角度を変更する際にロックピンを解除位置に移動させる必要があるが、ロックピンはガイド手段にガイドされるので、ロックピンを紛失しないように注意を払う必要がない。
【考案の効果】
【００１３】
本考案の鎌によれば、使い勝手を向上させることができる。
【図面の簡単な説明】
【００１４】
【図１】本考案の実施形態に係る鎌の正面図である。
【図２】刃の正面図である。
【図３】（Ａ）は柄側金具の側面図であり、（Ｂ）は柄側金具の正面図である。
【図４】（Ａ）は刃側金具の側面図であり、（Ｂ）は刃側金具の正面図である。
【図５】（Ａ）はガイドプレートの側面図であり、（Ｂ）はガイドプレートの正面図である。
【図６】刃及び刃側金具の側面図である。
【図７】鎌の要部を示す正面図であり、ロックピンを引き抜いた場合を示す。
【図８】鎌の要部を示す側面図であり、（Ａ）は刃面及び柄のなす角度を１８０度にした場合を示し、（Ｂ）は刃面及び柄のなす角度を鈍角にした場合を示す。
【図９】鎌の使用状態を示す概略図であり、（Ａ）は刃面及び柄のなす角度を１８０度にした場合を示し、（Ｂ）〜（Ｄ）は刃面及び柄のなす角度を鈍角にした場合を示す。
【図１０】（Ａ）は左利き用の刃側金具の側面図であり、（Ｂ）は左利き用の刃側金具の正面図である。
【考案を実施するための形態】
【００１５】
以下、図面を参照して、本考案の実施形態に係る鎌１について詳細に説明する。
【００１６】
まず、図１〜図８を用いて、鎌１について説明する。図１は、鎌１の正面図である。図２は、刃３の正面図である。図３（Ａ）は、柄側金具５の側面図である。図３（Ｂ）は、柄側金具４，５の正面図である。図４（Ａ）は、刃側金具６の側面図である。図４（Ｂ）は、刃側金具６の正面図である。図５（Ａ）は、ガイドプレート６２の側面図である。図５（Ｂ）は、ガイドプレート６２の正面図である。図６は、刃３及び刃側金具６の側面図である。図７は、鎌１の要部を示す正面図であり、ロックピン６０を引き抜いた場合を示す。図８は、鎌１の要部を示す側面図である。図８（Ａ）は、刃面２３及び柄２のなす角度を１８０度にした場合を示す。図８（Ｂ）は、刃面２３及び柄２のなす角度を鈍角にした場合を示す。なお、各図において、一部の構成を適宜省略して、図面を簡略化する。
【００１７】
図１に示す鎌１は、直線状の持ち手となる柄２と、柄２の先端に固定される刃３と、刃３を柄２の先端に固定する金具（固定具）４，５，６と、柄２の先端に１対の柄側金具（柄側固定具）４，５を固定するためのボルト７，８及びナット９，１０と、１対の柄側金具４，５に刃側金具（刃側固定具）６を固定するためのボルト１１、ロックピン（ロック機構）６０、蝶ナット１３、丸ナット１４及びナット６１と、ロックピン６０をガイドするガイドプレート（ロック機構、ガイド手段）６２と、ガイドプレート６２を固定するためのボルト６３，６４，６５，６６と、ロックピン６０が嵌め込まれたコイルスプリング（ロック機構、付勢手段）６７と、刃側金具６に刃３を固定するためのボルト１５，１６、蝶ナット１７，１８等を備える。
【００１８】
柄２は、例えば、長さＬが１３５０ｍｍ又は１５００ｍｍで径φが２４ｍｍ又は２８ｍｍの木製である。柄２の外周面には、柄２の先端から一部の範囲を切り欠くことによって、１対の柄側金具４，５を固定するための互いに平行となる１対の切欠部１９，２０が形成されている。また、柄２の先端付近には、ボルト７，８を通すボルト孔２１，２２が、切欠部１９から切欠部２０に向けて貫通するように形成されている。
【００１９】
図１、図２及び図６に示す刃３は、鋸刃であり、金具４，５，６によって柄２の先端に固定される。この刃３は、刃面２３及び柄２のなす角度が１８０度（図８（Ａ）参照）及び鈍角（図８（Ｂ）参照）で可変であると共に、刃元２４と刃先２５とを結ぶ仮想線２６及び柄２のなす角度が可変である。刃３の刃元２４付近には、ボルト１５，１６を通すボルト孔２７，２８が、刃面２３を貫通するように形成されている。この刃３は、刃側金具６の先端側板４４に固定される姿勢が可変である。
【００２０】
図１及び図３に示す柄側金具４は、長尺の金属板を曲折することで一体に形成され、柄２の切欠部１９に配置される取付板２９と、取付板２９に対して略４５度曲折する曲折板３０と、曲折板３０に対して略４５度曲折して取付板２９と平行となる固定平板３１とを備える。取付板２９には、ボルト７，８を通すボルト孔３２，３３が貫通するように形成されている。固定平板３１には、ボルト１１を通すボルト孔３４と、ロックピン６０を通すボルト孔３５とが貫通するように形成されている。この柄側金具４は、取付板２９が柄２の切欠部１９に配置され、ボルト７，８及びナット９，１０によって柄２の先端に固定されることで、柄２の先端から柄２の長手方向に固定平板３１が突出する。
【００２１】
柄側金具５は、柄側金具４と同様、長尺の金属板を曲折することで一体に形成され、柄２の切欠部２０に配置される取付板３６と、取付板３６に対して略４５度曲折する曲折板３７と、曲折板３７に対して略４５度曲折して取付板３６と平行となる固定平板３８とを備える。取付板３６には、ボルト７，８を通すボルト孔３９，４０が貫通するように形成されている。固定平板３８には、ボルト１１を通すボルト孔４１と、ロックピン６０を通すボルト孔４２とが貫通するように形成されている。この柄側金具５は、取付板３６が柄２の切欠部２０に配置され、ボルト７，８及びナット９，１０によって柄２の先端に固定されることで、柄２の先端から柄２の長手方向に固定平板３８が突出する。
【００２２】
図１及び図４に示す刃側金具６は、Ｌ字形状の金属板を９０度捻ることで一体に形成され、１対の柄側金具４，５の固定平板３１，３８同士の間に重ねられるように配置される基端側板４３と、この基端側板４３に対して９０度捻れるように柄２の長手方向に連続する先端側板４４とを備える。基端側板４３には、ボルト１１を通すボルト孔４５と、ロックピン６０を通す複数のボルト孔４６，４７，４８，４９とが貫通するように形成されている。複数のボルト孔４６，４７，４８，４９のうち選択された１つのボルト孔には、ロックピン６０が通される。先端側板４４には、ボルト１５を通すボルト孔５０と、ボルト１６を通す複数のボルト孔５１，５２とが貫通するように形成されている。複数のボルト孔５１，５２のうち選択された１つのボルト孔には、ボルト１６が通される。この刃側金具６は、基端側板４３が、柄側金具４，５の固定平板３１，３８に直交しているボルト（回転軸）１１を中心として固定平板３１，３８に対して回動可能に取り付けられると共に、先端側板４４に刃３が重ねられている状態で固定されるものである。基端側板４３は、固定平板３１，３８に固定される姿勢が可変である。基端側板４３に形成されている複数のボルト孔４６〜４９は、柄側金具４，５の固定平板３１，３８に対する基端側板４３の回動に伴って、固定平板３１，３８が一つずつ有しているボルト孔３５，４２に順次対応する。
【００２３】
図１、図７及び図８に示すロックピン６０は、先端がねじ切られていると共に、基端が環状に形成されたフックボルトである。このロックピン６０は、ボルト孔３５，４２、及びボルト孔３５，４２に対応しているボルト孔４６〜４９を貫通（係止）することで、固定平板３１，３８に対する基端側板４３の回動のロックをする一方で、ボルト孔３５，４２、及びボルト孔３５，４２に対応しているボルト孔４６〜４９から退くことで、固定平板３１，３８に対する基端側板４３の回動のロックを解除する。
【００２４】
図１、図５及び図８に示すガイドプレート６２は、長尺の金属板を曲折することで一体に形成され、柄２と平行となるガイド平板６８と、ガイド平板６８の先端から固定平板３１に向けて湾曲する湾曲板６９と、を備える。ガイド平板６８には、ボルト７を通すボルト孔７０と、ボルト８を通すボルト孔７１と、ロックピン６０を通すガイド孔７２とが貫通するように形成されている。このガイドプレート６２は、ボルト７，８に固定されると共に、ロックピン６０を、固定平板３１，３８に対する基端側板４３の回動のロックをするロック位置（図１参照）、及び固定平板３１，３８に対する基端側板４３の回動のロックを解除する解除位置（図７参照）の間でガイドする。
【００２５】
図１及び図７に示すコイルスプリング６７は、ガイド孔７２にロックピン６０が通されているガイドプレート６２と、ロックピン６０が嵌め込まれたナット６１との間に配置され、ロックピン６０を、固定平板３１，３８に対する基端側板４３の回動のロックをするロック位置（図１参照）に付勢する。
【００２６】
このように、柄側金具４，５の固定平板３１，３８が一つずつ有しているボルト孔（第１係止部）３５，４２と、刃側金具６の基端側板４３が有している複数のボルト孔（第２係止部）４６〜４９と、ロックピン６０と、ガイドプレート（ガイド手段）６２と、コイルスプリング（付勢手段）６７とは、柄側金具４，５の固定平板３１，３８に対する刃側金具６の基端側板４３の回動をロックするロック機構を構成する。
【００２７】
次に、図１〜図８を用いて、鎌１の組立手順について説明する。
【００２８】
まず、柄２の切欠部１９に、柄側金具４の取付板２９を配置すると共に、柄２の切欠部２０に、柄側金具５の取付板３６を配置する。これにより、柄側金具５のボルト孔３９、柄２のボルト孔２１、及び柄側金具４のボルト孔３２が連続すると共に、柄側金具５のボルト孔４０、柄２のボルト孔２２、及び柄側金具４のボルト孔３３が連続する。
【００２９】
そして、ボルト７を、柄側金具５のボルト孔３９、柄２のボルト孔２１、柄側金具４のボルト孔３２の順に挿通してから、ナット９に螺合すると共に、ボルト８を、柄側金具５のボルト孔４０、柄２のボルト孔２２、柄側金具４のボルト孔３３の順に挿通してから、ナット１０に螺合する。これにより、１対の柄側金具４，５は、柄２の先端に固定され、柄２の先端から柄２の長手方向に固定平板３１，３８が突出する。１対の柄側金具４，５の固定平板３１，３８は、隙間を空けて互いに対面する。
【００３０】
さらに、ナット９と所望の間隔が空くようにナット６３をボルト７に螺合すると共に、ナット１０と所望の間隔が空くようにナット６５をボルト８に螺合する。そして、ガイドプレート６２のガイド平板６８が有しているボルト孔７０にボルト７を挿通すると共に、ガイド平板６８が有しているボルト孔７１にボルト８を挿通してから、ナット６４をボルト７に螺合すると共に、ナット６６をボルト８に螺合する。これにより、ガイドプレート６２が柄２と平行に柄２に固定される。
【００３１】
次に、１対の柄側金具４，５の固定平板３１，３８同士の間の隙間に、刃側金具６の基端側板４３を配置する。
【００３２】
刃３の刃面２３及び柄２のなす角度を１８０度にする場合、柄側金具４のボルト孔３４、刃側金具６のボルト孔４５、及び柄側金具５のボルト孔４１を連続させると共に、柄側金具４のボルト孔３５、刃側金具６のボルト孔４６、及び柄側金具５のボルト孔４２を連続させる。
【００３３】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４６、柄側金具５のボルト孔４２の順に挿通してから、丸ナット１４に螺合する。これにより、刃側金具６は、１対の柄側金具４，５に固定される（図８（Ａ）参照）。
【００３４】
刃３の刃面２３及び柄２のなす角度を鈍角にする場合、柄側金具４のボルト孔３４、刃側金具６のボルト孔４５、及び柄側金具５のボルト孔４１を連続させると共に、柄側金具４のボルト孔３５、刃側金具６のボルト孔４７、及び柄側金具５のボルト孔４２を連続させる。
【００３５】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４７、柄側金具５のボルト孔４２の順に挿通してから、丸ナット１４に螺合する。これにより、刃側金具６は、１対の柄側金具４，５に固定される。
【００３６】
または、柄側金具４のボルト孔３４、刃側金具６のボルト孔４５、及び柄側金具５のボルト孔４１を連続させると共に、柄側金具４のボルト孔３５、刃側金具６のボルト孔４８、及び柄側金具５のボルト孔４２を連続させる。
【００３７】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４８、柄側金具５のボルト孔４２の順に挿通してから、丸ナット１４に螺合する。これにより、刃側金具６は、１対の柄側金具４，５に固定される。
【００３８】
あるいは、柄側金具４のボルト孔３４、刃側金具６のボルト孔４５、及び柄側金具５のボルト孔４１を連続させると共に、柄側金具４のボルト孔３５、刃側金具６のボルト孔４９、及び柄側金具５のボルト孔４２を連続させる。
【００３９】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４９、柄側金具５のボルト孔４２の順に挿通してから、丸ナット１４に螺合する。これにより、刃側金具６は、１対の柄側金具４，５に固定される（図８（Ｂ）参照）。
【００４０】
なお、柄側金具４，５のボルト孔３５，４２に連続させる刃側金具６のボルト孔４７，４８，４９は、刃３の刃面２３及び柄２のなす角度の鈍角の度合に応じて適宜選択される。
【００４１】
次に、刃側金具６の先端側板４４に、刃３における刃元２４側の刃面２３を重ねるように配置する。
【００４２】
刃元２４と刃先２５とを結ぶ仮想線２６及び柄２のなす角度を相対的に緩くする場合、刃３のボルト孔２７、及び刃側金具６のボルト孔５０を連続させると共に、刃３のボルト孔２８、及び刃側金具６のボルト孔５１を連続させる。
【００４３】
そして、ボルト１５を、刃３のボルト孔２７、刃側金具６のボルト孔５０の順に挿通してから、蝶ナット１７に螺合すると共に、ボルト１６を、刃３のボルト孔２８、刃側金具６のボルト孔５１の順に挿通してから、蝶ナット１８に螺合する。これにより、刃３は、刃側金具６に固定される。すなわち、刃３は、金具４，５，６によって柄２の先端に固定される（図１参照）。
【００４４】
刃元２４と刃先２５とを結ぶ仮想線２６及び柄２のなす角度を相対的にきつくする場合、刃３のボルト孔２７、及び刃側金具６のボルト孔５０を連続させると共に、刃３のボルト孔２８、及び刃側金具６のボルト孔５２を連続させる。
【００４５】
そして、ボルト１５を、刃３のボルト孔２７、刃側金具６のボルト孔５０の順に挿通してから、蝶ナット１７に螺合すると共に、ボルト１６を、刃３のボルト孔２８、刃側金具６のボルト孔５２の順に挿通してから、蝶ナット１８に螺合する。これにより、刃３は、刃側金具６に固定される。すなわち、刃３は、金具４，５，６によって柄２の先端に固定される。
【００４６】
なお、刃３のボルト孔２８に連続させる刃側金具６のボルト孔５１，５２は、刃元２４と刃先２５とを結ぶ仮想線２６及び柄２のなす角度の度合に応じて適宜選択される。
【００４７】
次に、図１及び図７を用いて、刃面２３及び柄２のなす角度を変更する手順を説明する。
【００４８】
まず、蝶ナット１３を緩める。そして、丸ナット１４をロックピン６０から取り外す。また、コイルスプリング６７の付勢力に抗してロックピン６０を引き抜く（図７参照）。さらに、ボルト１１を中心として、刃側金具６の基端側板４３を柄側金具４，５の固定平板３１，３８に対して回動させることで、刃面２３及び柄２のなす角度を変更する。
【００４９】
そして、ロックピン６０を差し込む。また、外しておいた丸ナット１４を元のロックピン６０に締め込む。さらに、蝶ナット１３をしっかり締めることで、作業を完了させる。
【００５０】
次に、図９を用いて、鎌１の使用方法を説明する。図９は、鎌１の使用状態を示す概略図である。図９（Ａ）は、刃面２３及び柄２のなす角度を１８０度にした場合を示す。図９（Ｂ）〜図９（Ｄ）は、刃面２３及び柄２のなす角度を鈍角にした場合を示す。なお、図７における符号のＧＲＤは、地面を示す。
【００５１】
図９（Ａ）に示す鎌１の使用状態は、一般的な鎌のように刃面２３と柄２のなす角度を１８０度にしたものである。図９（Ｂ）に示す鎌１の使用状態は、刃面２３と柄２のなす角度をつけたものである。これによれば、土中で草を切ることができる。図９（Ｃ）に示す鎌１の使用状態は、刃面２３と柄２のなす角度を更につけたものである。これによれば、草を根ごと抜くことができる。図９（Ｄ）に示す鎌１の使用状態は、刃面２３と柄２のなす角度を更につけたものである。これによれば、細かい草をまとめて刈ることができる。
【００５２】
以上説明したように、このような鎌１によれば、一般的な鎌のように刃面２３と柄２のなす角度を１８０度にする他、刃３と柄２のなす角度を変更してから使用することができる。これにより、地面ＧＲＤの傾斜角度に合わせて草刈り等ができる。
【００５３】
柄２を長いもので構成した場合には、竹ぼうきで庭を掃くように人が立ったまま楽に草刈りができ、疲れない。そして、嫌いな虫がでてきても避けられる。また、刈りたい草に近付けないような狭い所でも草刈りができる。さらに、草がぼうぼうに生えていても迷わず草刈りに取り掛かれる。
【００５４】
刃３が鋸刃で構成されているので、鋸刃のギザギザの付け根に草が引っ掛かり、細かい草が多量に生えていても、草刈りはわずかな時間ですむ。そして、石ころや硬い物が鋸刃のギザギザの付け根に届かなければ草刈りに差し支えない。鋸刃は営利な刃ではないが、鎌１の柄２を強く引っ張ることで草は切れる。
【００５５】
大きい草は生ゴミになってしまうが、このような鎌１で草が伸びないうちに刈ることで、草を生ゴミにせずに土にすることができる。結果、害虫の発生を無くすことができる。
【００５６】
そして、金具４，５，６を備えているので、簡単な構造で構成することができる。刃３の角度を２ヶ所で変えるものであるので、角度の調整を容易且つ確実に行うことができる。
【００５７】
さらに、刃３と柄２のなす角度を変更する際に、ロックピン６０を解除位置に移動させる必要があるが、ロックピン６０はガイドプレート６２にガイドされるので、ロックピン６０を紛失しないように注意を払う必要がない。
【００５８】
なお、本考案は、上記実施形態に限定されるものではなく、その趣旨及び技術思想を逸脱しない範囲で種々の変更が可能である。すなわち、各構成の位置、大きさ、長さ、形状、材質などは適宜変更できる。例えば、刃３は、鋸刃に代えて、鋭利なものであってもよい。
【００５９】
あるいは、上記実施形態では、右利き用の鎌の場合を例に説明したが、本発明は、左利き用の鎌であってもよい。この場合、刃側金具６に代えて、図１０に示す刃側金具６′が用いられる。ただし、刃側金具６′は、逆Ｌ字形状の金属板を９０度捻ることで一体に形成されるものであり、その基本的な構成は刃側金具６と同様である。この刃側金具６′の説明は、刃側金具６の各構成の符号に「′」を付して図示することで省略する。なお、図１０（Ａ）は、左利き用の刃側金具６′の側面図である。図１０（Ｂ）は、左利き用の刃側金具６′の正面図である。
【００６０】
あるいは、上記実施形態では、第１係止部が、柄側金具４，５の固定平板３１，３８が一つずつ有しているボルト孔３５，４２であると共に、複数の第２係止部が、刃側金具６の基端側板４３が有している複数のボルト孔４６〜４９である場合を例に説明したが、本発明は、第１係止部が、固定平板及び基端側板の一方が有しているものであると共に、複数の第２係止部が、固定平板及び基端側板の他方が有しており、固定平板に対する基端側板の回動に伴って、第１係止部に順次対応するものであってもよい。すなわち、柄側金具の固定平板３１，３８が、それぞれ複数のボルト孔を有していると共に、刃側金具の基端側板が一つのボルト孔を有していてもよい。
【符号の説明】
【００６１】
１  鎌
２  柄
３  刃
４，５  柄側金具（固定具、柄側固定具）
６  刃側金具（固定具、刃側固定具）
７，８  ボルト
９，１０  ナット
１１  ボルト（回転軸）
１３  蝶ナット
１４  丸ナット
１５，１６  ボルト
１７，１８  蝶ナット
１９，２０  切欠部
２１，２２  ボルト孔
２３  刃面
２４  刃元
２５  刃先
２６  仮想線
２７，２８  ボルト孔
２９，３６  取付板
３０，３７  曲折板
３１，３８  固定平板
３２，３３，３４  ボルト孔
３５  ボルト孔（ロック機構、第１係止部）
３９，４０，４１  ボルト孔
４２  ボルト孔（ロック機構、第１係止部）
４３  基端側板
４４  先端側板
４５  ボルト孔
４６，４７，４８，４９  ボルト孔（ロック機構、第２係止部）
５０，５１，５２  ボルト孔
６０  ロックピン（ロック機構）
６１  ナット
６２  ガイドプレート（ロック機構、ガイド手段）
６３，６４，６５，６６  ボルト
６７  コイルスプリング（ロック機構、付勢手段）
６８  ガイド平板
６９  湾曲板
７０，７１  ボルト孔
７２  ガイド孔
ＧＲＤ  地面
【図１】
0003208379.tif 000003
【図２】
0003208379.tif 000004
【図３】
0003208379.tif 000005
【図４】
0003208379.tif 000006
【図５】
0003208379.tif 000007
【図６】
0003208379.tif 000008
【図７】
0003208379.tif 000009
【図８】
0003208379.tif 000010
【図９】
0003208379.tif 000011
【図１０】
0003208379.tif 000012